(57)【特許請求の範囲】
【請求項１】
デッキパンを支持する方形状のワイヤラックを有するショーケースであって、
前記ワイヤラックは、2つのコ字状ワイヤパイプと、当該2つのコ字状ワイヤパイプの間に介在し前記コ字状ワイヤパイプに対して連結された直線状ワイヤパイプとから構成され、
上記ワイヤラックにおける前記コ字状ワイヤパイプを着脱可能に保持するとともにショーケース本体に支持される支えワイヤパイプを備えたことを特徴とするショーケース。
【請求項２】
前記支えワイヤパイプにクリップを備え、前記クリップが前記コ字状ワイヤパイプを把持することを特徴とする請求項1に記載のショーケース。
【発明の詳細な説明】
【技術分野】
【０００１】
本発明は、ショーケースなどのデッキパンを下方から支えるデッキ支えの構造に関する。
【背景技術】
【０００２】
多段オープンショーケースなどのショーケースでは、上下段に並べて庫内に設置した商品陳列棚とは別に、庫内底部に配備したデッキパンと呼ばれる平坦な底板を下方からデッキを支えるワイヤラックなどが知られている。
【０００３】
例えば、特許文献１に示すようにショーケース本体の陳列空間の底部にワイヤラックで支持されるデッキパンについては、各ショーケースのデッキパンの寸法に合わせた設計・製造がなされている。
【０００４】
特にショーケースの長手方向、つまり幅方向の変化に対しては、それぞれの商品陳列棚の寸法に合わせたワイヤラックを設計・製造をする必要がある。
【０００５】
例えば、オーダーメイドのショーケースを受注した場合は、その都度様々な寸法の商品陳列棚用のワイヤラックを設計・製造をすることになるため生産効率が悪くコスト高となっていた。
【０００６】
また、ショーケースの再利用については、本体については今日比較的高率で行われているが、部品としての再利用は商品陳列棚が同一寸法のものでない限り不可能であるから、ワイヤラックの再利用にも限界があった。
【先行技術文献】
【特許文献】
【０００７】
【特許文献１】特開２０００−２１７６７３号公報
【発明の概要】
【発明が解決しようとする課題】
【０００８】
そこで本発明は、上記に掲げた問題点を解消すべく、特殊寸法のショーケースであって、特に長手方向に対して長い設計がなされたデッキパンに対して改めてワイヤラックを再設計・製造をすることないワイヤラックを備えるショーケースを提供することを課題とするものである。
【０００９】
また、ケース寸法が区々の大量注文であっても、その都度ワイヤラックを設計・製造する必要はなく、また再利用可能なワイヤラックを備えるショーケースを提供することを課題とするものである。
【課題を解決するための手段】
【００１０】
上記の課題を解決するために、ショーケースに配置されデッキパンを下方より支持する方形状のワイヤラックを有するショーケースであって、前記ワイヤラックは、2つのコ字状ワイヤパイプと、当該2つのコ字状ワイヤパイプの間に介在し前記コ字状ワイヤパイプに対して連結された直線状ワイヤパイプとから構成されている（請求項１）。
【００１１】
また、前記ショーケースは、上記ワイヤラックにおける前記コ字状ワイヤパイプを着脱可能に保持するとともにショーケース本体に支持される支えワイヤパイプを備えたことを特徴とする（請求項１）。
【００１２】
なお、ショーケース内に前記ワイヤラックを支持する前記支えワイヤパイプには、クリップが備わり、前記クリップが前記コ字状ワイヤパイプを把持することを特徴とする（請求項２）。
【発明の効果】
【００１３】
本発明のショーケース内に配置されデッキパンを支持するワイヤラックは、上記のように構成することで、ケース寸法が区々な特殊な寸法のショーケースにともなうデッキパンの大量注文であっても、その都度デッキパンの寸法に合ったワイヤラックを設計することなく、最小単位のワイヤパイプを連結するだけで区々の異なるワイヤラックを容易に作ることできるという効果がある。
【００１４】
また、特に長手方向に対して数種の幅のある設計のなされたデッキパンに対しては、コ字状に成形した２本のワイヤパイプ同士を直接方形状に連結したり、また、コ字状に成形した２本のワイヤパイプの間に直線状のワイヤパイプ適宜連結して方形状にすることで、オーダに適合したにワイヤラックを作ることができるという効果がある。
【００１５】
このように、本発明のワイヤラックは、ワイヤパイプをモジュール化することによって生産過程における間接業務が削減され、コスト安となるとともに、共通ロットが増えることで大量生産や管理に優れ、また再利用が可能となる効果がある。
【図面の簡単な説明】
【００１６】
【図１】（ａ）（ｂ）（ｃ）（ｄ）は本発明のワイヤラックの構成図。
【図２】ワイヤラックと支えワイヤパイプの取付けの順序を示した図。
【図３】本実施例で示したクリップの斜視図。
【図４】本発明のワイヤラックのショーケース内への取付図。
【発明を実施するための形態】
【００１７】
以下、図１〜図４を用いて、この発明の実施の形態を説明する。
【実施例】
【００１８】
本実施例のデッキパンを支持するワイヤラック１は、特に長手方向に対して幅のあるデッキパン８に対しては、図１の（ａ）に示すように商品陳列棚の左右両底辺の奥行方向を支持するコ字状に成形した２本のワイヤパイプ２と前記デッキパン８の幅方向を支持する直線状の２本のワイヤパイプ３を介在させ、図１の（ｂ）に示すように方形状に連結する。
【００１９】
各ワイヤパイプ２、３の連結は、前記コ字状に成形したワイヤパイプ２の端部断面である管口径の外径を、前記直線状のワイヤパイプ３の端部断面である管口径の内径より肉厚（管の厚さ）分小さく成形あるいは加工することで、ワイヤパイプ２とワイヤパイプ３は軸方向へ、スライドして挿入し連結する。
【００２０】
また、図１の（ｃ）に示すように長手方向に対して幅のないデッキパン８に対しては、コ字状に成形した２本のワイヤパイプ２どうしを図１の（ｄ）に示すように方形状に連結し構成することも可能である。
【００２１】
この場合、一方ワイヤパイプ２の１つ端部断面である管口径の外径を、他方のワイヤパイプ２の１つの端部断面である管口径の内径より肉厚（管の厚さ）分小さく成形あるいは加工することで、ワイヤパイプ２同士は互いに軸方向へスライドして挿入し連結することができる。
【００２２】
各ワイヤパイプ２、３あるいはワイヤパイプ２どうしの連結については螺子着としたり、連結アダプタを用いて連結したりすることも可能であり本実施例に限定されるものではない。
【００２３】
このように、ワイヤラック１を１つのモジュールにすることで、あらゆるサイズのデッキパンに対応し、半可変的なワイヤラック１を作ることができる。
【００２４】
また本発明は、更に特殊な寸法のショーケースに載置されるデッキパンであっても、最小単位のワイヤパイプ３を、アダプタ等を用いて平面幾何学的に連結し周枠を形成することで、様々な形状のデッキパンに対応可能なワイヤラック１を作り出すことができる。
【００２５】
なお、本発明の実施例に示すワイヤラック１は、断面形状が丸形のワイヤパイプ（図１〜４）を用いたが、断面形状が角形や多角形等も実施可能であり丸形に限定されるものではない。
【００２６】
次に前記ワイヤラック１のショーケース内への設置について説明する。
【００２７】
図４に示すように、ワイヤラック１のショーケース内への設置は、ショーケース庫内底部に配備したデッキパン８の高さ位置に、ショーケース庫内背面６と前面（図示せず）の間に支えワイヤパイプ５を介在するように支持させて、その上方より前記ワイヤラック１を重ね、その上にデッキパン８を載置する。
【００２８】
その際、図２（ａ）〜（ｃ）に示されるように、前記ワイヤラック１と支えワイヤパイプ５の交差部を固定するため、支えワイヤパイプ５の上部にはクリップ４が溶接により取付けられている。
【００２９】
クリップ４は、図３に示すように弾性金属板をおよそ支えワイヤパイプ５の直径幅の長さで上部を開口させ樋形に成形し、より詳しくはその断面形状を略逆Ω状に湾曲させ成形されている。
【００３０】
このように支えワイヤパイプ５の上部に取付けられているクリップ４の開口部へ、前記ワイヤラック１を重ね、ワイヤラック１がクリップ４の把持片４ａを通過するまで押し込むことで、支えワイヤパイプ５とワイヤラック１はクリップ４によって固定される。
【００３１】
そして、ワイヤラック１が取付けられた支えワイヤパイプ５の両端部を、ショーケース庫内背面６および前面側（図示せず）に施されたワイヤラック取付け溝７にそれぞれ挿入することで、デッキパンを支持するワイヤラック１の支持構造が完成する。
【００３２】
ここで、本発明の実施例で示したクリップ４は弾性金属板を樋形に成形し、断面形状が略逆Ω状のものを採用したが、クリップ４の形状はこれに限定されるものではない。
【００３３】
例えば、支えワイヤパイプ５とワイヤラック１を重ねた交差点において、交差している両ワイヤを下方から把持して固定するため、異なる深さからなる相互に直交した２つの略Ｕ字スナップ溝から構成されるクリップを用いることで（図示せず）、支えワイヤパイプ５とワイヤラック１とを容易に固定することができる。
【００３４】
また、角形パイプを用いて支えワイヤパイプ５とワイヤラック１を重ねる場合には、クリップ４は略凹状のものを取付けると都合が良い。
【００３５】
なお、本実施例では方形状のワイヤラック１について説明したが、ショーケースおよび商品陳列棚の形状によってワイヤラック１の平面形状は円形、三角形は楕円その他さまざまな形状が想定でき、また、前記ワイヤパイプ３も直線、曲線、波形状等さまざまな形状のものも実施可能である。
【符号の説明】
【００３６】
１      ワイヤラック
２、３  ワイヤパイプ
４      クリップ
４ａ    把持片
５      支えワイヤパイプ
６      ショーケース庫内背面
７      ワイヤラック取付け溝
８      デッキパン
【図１】
0005668445.tif 000002
【図２】
0005668445.tif 000003
【図３】
0005668445.tif 000004
【図４】
0005668445.tif 000005